(57)【要約】【課題】ダイヤル式操作部とカンガルー式操作部とを組み合わせ、使い分けできるようにして操作性や使い勝手を良くし、意匠的にも良好にする。【解決手段】トッププレート２９に複数のヒータ加熱部３０，３１，３２を配し、これら加熱部を操作する操作パネル部２６には、ダイヤル式操作部２７とカンガルー式操作部２８とを組み合せた構成とし、カンガルー式操作部２８の操作面２８ａに表示部を設けた構成とする。【選択図】　図１
2004028569.tif 000002
【特許請求の範囲】
【請求項１】
トッププレートに複数のヒータ加熱部を配し、これら加熱部を操作する操作パネル部を備えた調理器において、
前記操作パネル部は、ダイヤル式操作部と開閉回動するカンガルー式操作部を具備し、前記カンガルー式操作部の操作面に表示部を設けたことを特徴とする加熱調理器。
【請求項２】
トッププレートに複数のヒータ加熱部を配し、これら加熱部を操作する操作パネル部を備えた調理器において、
前記操作パネル部は、ダイヤル式操作部と開閉回動するカンガルー式操作部を具備し、前記ダイヤル式操作部の表示部を前記トッププレートに設けたことを特徴とする加熱調理器。
【発明の詳細な説明】
【０００１】
【発明の属する技術分野】
本発明は、トッププレートに複数のヒータ加熱部を配してなる加熱調理器に関する。
【０００２】
【従来の技術】
従来、この種加熱調理器として、図９に示すようにトッププレート１に複数（この例では３個）のヒータ加熱部を備えたビルトインタイプの加熱調理器が実用に供されている。この一例では、前方側に火力（出力）が大きい左ヒータ加熱部２、および同右ヒータ加熱部３を設けるとともに、後方中央部には中央ヒータ加熱部４を配設している。そして、これらヒータ加熱部２，３，４には、そのヒータ手段として異なる種類のものが組合わされている場合が多い。一般的には、誘導加熱コイルを用いた所謂ＩＨヒータや、ニクロム線を用いたラジエントヒータ、そしてハロゲンランプを用いたハロゲンヒータなどが多く採用されている。
【０００３】
今、図９の例では、例えば火力が大きい左，右ヒータ加熱部２，３には、図示しないがＩＨヒータを採用し、また小火力の中央ヒータ加熱部４にはラジエントヒータを採用した構成としている。また、トッププレート１の手前には、各ヒータ加熱部２，３，４の夫々に対応した火力表示部５，６，７を設けるとともに、後部には排気口８を設けている。このように構成してなる所謂ヒータユニットは、システムキッチンのカウンタートップ９に落し込むようにして組み込まれ、調理器前面上部の左側にはロースタ部１０が設けられ、また、右側には操作パネル部１１を設けている。
【０００４】
しかるに、この操作パネル部１１は、上記各ヒータ加熱部２，３，４に対する各種の設定操作を行なうスイッチ構成をなしており、図１０は操作パネル部１１の拡大図である。即ち、操作パネル部１１には、シーソー型の電源スイッチ１２を始め、左側から順に左ヒータ用ダイヤル１３、中央ヒータ用ダイヤル１４、右ヒータ用ダイヤル１５を設け、これは上記各ヒータ加熱部２，４，３の配置構成に合わせて夫々に対応した設定操作が可能としている。そして、これらダイヤル１３，１４，１５は、プッシュすることでオン動作し、再度プッシュすることで復帰してオフ動作するスイッチ機能を有し、更には回動操作することで火力の大きさを設定可能とし、火力表示部５，７，６にて点灯表示し確認できるようにしている。
【０００５】
その他には、タッチ（押圧）型のタイマ装置１６やロースタ用スイッチ１７、および天ぷら用スイッチ１８を備え、特にタイマ装置１６は時限設定や調節および時間表示を可能とし、またロースタ用スイッチ１７は火力調節を兼ねた構成としている。このように、図１０の操作パネル部１１は、各種のスイッチ構成を有するが、各ヒータ加熱部２，３，４に対するオン・オフや火力調節を行う主たるスイッチ機能はダイヤル１３，１４，１５の操作に基づく所謂ダイヤル式操作部による構成としている。
【０００６】
これに対し、図１１は他の操作パネル１９の一例を示す図１０相当図で、これはカンガルー式操作部を用いた構成を示している。
このカンガルー式機構の基本的構造は、周知のように一隅部を支点Ａに図示矢視方向に回動可能な全体に三角柱状の形態をなし、開いた状態では図１１に示すように操作面が前方に突出して各種スイッチ操作を可能となし、不使用時等には閉じておくことで調理器前面と略面一になるように収納される構成にある。しかして、このようなカンガルー式操作部は、回動構成のためダイヤル形状の摘みの如く大きく突出した構成は採用困難なため、シーソー型の電源スイッチ１２の他はタッチ型のスイッチ類２０ａ〜２０ｄを採用している。
【０００７】
即ち、左ヒータ用タッチスイッチ部２１には、左ヒータ加熱部２のオン・オフ操作と火力調節等を可能としており、中央ヒータ用タッチスイッチ部２２には、ロースタ部１０と中央ヒータ加熱部４との選択設定とオン・オフ操作並びに夫々の火力調節等を可能とし、右ヒータ用タッチスイッチ部２３には右ヒータ加熱部３のオン・オフ操作と火力調節等を可能にしている。その他、タイマ時限設定や表示を可能としたタイマ装置２４を備えている。
【０００８】
【発明が解決しようとする課題】
上記のように、従来ダイヤル式操作部とカンガルー式操作部に代表される２種類が採用されているが、夫々一長一短を有している。
即ち、まず図１０に示すダイヤル式操作部にあっては、主たる各ヒータ加熱部２，４，３のオン・オフや火力調節するには、夫々対応するダイヤル１３，１４，１５にて設定操作できて使い易い。しかしながら、この操作パネル１１には、一般的に使用頻度が少ないタイマ装置１６やロースタ用スイッチ１７等のスイッチを含む全てのスイッチ類と表示等が常に前面に露出した形態にあるため、意匠的に雑踏とした感じを与え、しかも各ダイヤル１３，１４，１５と他の異なるタイプの各種スイッチとが混在していることから、一見して使い難さを感じてしまう。
【０００９】
一方、図１１に示すカンガルー式操作部にあっては、不使用時には閉じておくことで調理器前面に突出することなく収納され、意匠的にもすっきりとし、使用時のみ前方に回動突出してスイッチ操作すれば良い。しかしながら、この種カンガルー式操作部は、その回動する構成上、大きさに制約を受けることとなり、操作パネル１９の限られたスペースに全ての各種スイッチ類２０ａ〜２０ｄや表示等を設けねばならない。このため、やはり使用時には使用頻度の少ないスイッチも含む全てのスイッチ類が露出し、しかもタッチ型のスイッチを多用しているので誤操作し易いという憂いも有する。
【００１０】
本発明は上述の事情に鑑みてなされたものであり、従ってその目的は、ダイヤル式操作部とカンガルー式操作部とを組合わせて使い分けることで、スイッチ類の操作性や使い勝手を良くし、意匠的にもすっきりとした好感のもてる加熱調理器を提供するにある。
【００１１】
【課題を解決するための手段】
上記目的を達成するために、本発明の加熱調理器は、トッププレートに複数のヒータ加熱部を配し、これら加熱部を操作する操作パネル部を備えた調理器において、前記操作パネル部は、ダイヤル式操作部と開閉回動するカンガルー式操作部を具備し、前記カンガルー式操作部の操作面に表示部を設けたことを特徴とする（請求項１の発明）。
【００１２】
斯かる構成によれば、ダイヤル式操作部における使い易さと、必要に応じて利用するカンガルー式操作部とを組み合せ使い分けることが可能となり、使い勝手を良くするとともに、操作パネル部の外観もすっきりした好感のもてる意匠とすることができる。
【００１３】
上記目的を達成するために、本発明の加熱調理器は、トッププレートに複数のヒータ加熱部を配し、これら加熱部を操作する操作パネル部を備えた調理器において、前記操作パネル部は、ダイヤル式操作部と開閉回動するカンガルー式操作部を具備し、前記ダイヤル式操作部の表示部を前記トッププレートに設けたことを特徴とする（請求項２の発明）。
【００１４】
斯かる構成によれば、ダイヤル式操作部における使い易さと、必要に応じて利用するカンガルー式操作部とを組み合せ使い分けることが可能となり、使い勝手を良くするとともに、操作パネル部の外観もすっきりした好感のもてる意匠とすることができる。
【００１５】
【発明の実施の形態】
以下、本発明をビルトインタイプの加熱調理器に適用した一実施例について、図１ないし図７に基づき説明する。
【００１６】
そのうち図２は、所謂３口タイプの加熱調理器をキッチン２１内部に組み込んだ全体構成を示す外観斜視図で、まず、該図面に基づき大略的構成につき述べる。図示するように、キッチン２１のカウンタートップ２２にはヒータ加熱ユニット２３が落とし込まれるようにして組み込まれ、そして、キッチン２１の前面の扉２４の上部に臨む左側にロースタ部２５を有し、右側に操作パネル部２６が設けられている。このうち操作パネル部２６は、詳細は後述するが本実施例では上部位にダイヤル式操作部２７、その下位にカンガルー式操作部２８を配設している。
【００１７】
しかるに、上記ヒータユニット２３は、この調理器の上面部を形成するように被着されたトッププレート２９と、この上に鍋等が載置される三つのヒータ加熱部を形成すべく、前部の左右に配置された左，右ヒータ加熱部３０，３１と、後部中央に配置された中央ヒータ加熱部３２とを備えている。その他、トッププレート２９面には、火力表示部等も有するが、これらを含め具体的構成については後述する。尚、トッププレート２９の最後部には、調理器内部と連通した排気口３３が形成されている。
【００１８】
しかして、図３は平面図で特には上記ヒータユニット２３上における配置構成を示しており、該図面に基づき以下具体的に述べる。上記トッププレート２９は、透光性の耐熱ガラス製で、その上面には、各ヒータ加熱部３０，３１，３２に対応して鍋など調理容器の有効な載置領域を示す環状の載置枠３０ａ，３１ａ，３２ａが印刷等により描かれている。更にトッププレート２９の下面側にあって、各ヒータ加熱部３０，３１，３２に対応した火力表示部３０ｂ，３１ｂ，３２ｂが破線で示す位置に設けられている。これら火力表示部３０ｂ，３１ｂ，３２ｂは、いずれも複数のＬＥＤ発光素子を実装してなるもので、トッププレート２９を透して点灯表示可能としている。
【００１９】
因みに、そのうちの火力表示部３０ｂおよび３１ｂは、載置枠３０ａおよび３１ａより外側で夫々手前側に位置して多数の発光素子を用いて弧状に配設され、残る火力表示部３２ｂは、中央手前に位置してやゝ少数の発光素子を直線状に配して形成している。また、火力表示部３２ｂに隣接した位置に同じくＬＥＤ発光素子による高温注意表示部３４が設けられ、これは図示しないトッププレート２９の温度を検知する温度センサに基づき制御される。
【００２０】
ここで、各ヒータ加熱部３０，３１，３２の構成につき簡単に述べる。まず、本実施例では、左，右ヒータ加熱部３０，３１は、いずれも共通の構成にて同等の機能を発揮するよう設定され、従って、上記した環状の載置枠３０ａ，３１ａおよび火力表示部３０ｂ，３１ｂも、夫々同一規模の形態をなしている。しかして、左，右ヒータ加熱部３０，３１は、共にそのヒータ手段としては、図示しないが誘導加熱コイルやその関連部品からなる所謂ＩＨヒータを採用しており、これらはトッププレート２９の下面に近接して配設されている。
【００２１】
一方、中央ヒータ加熱部３２は、ヒータ手段として図示しないニクロム線を用いたラジエントヒータを採用し、且つ上記左，右ヒータ加熱部３０，３１よりも通電発熱による出力、所謂火力は弱く（小さく）て、それに応じて鍋などの載置枠３２ａや火力表示部３２ｂも小規模の形態にある。従って、本実施例では、三つのヒータ加熱部は採用ヒータの種類および火力の大きさとも、２種類の組み合せ構成からなりたっている。
次いで、図４は正面図、図５は要部の概略的な電気回路図で、更に図１は要部の縦断側面図で、これら図面に基づき特には上記した操作パネル部２６の具体的構成について説明する。
【００２２】
まず、図４からは調理器正面の配置構成が明らかとなるように、およそ左半部をロースタ部２５として図示しないロースタ用ヒータ手段を内臓しており、そして右半部には前記したように操作パネル部２６が、上部位にダイヤル式操作部２７を、また下位にカンガルー式操作部２８を夫々配して設けられている。そのうち、ダイヤル式操作部２７には、摘みとしての四つのダイヤル３５〜３８を備えている。
【００２３】
具体的には、図示する左側から順に左ヒータ用ダイヤル３５，ロースタ用ダイヤル３６，中央ヒータ用ダイヤル３７、および右ヒータ用ダイヤル３８を設けている。このうちの左，右ヒータ用ダイヤル３５，３８は、他のダイヤル３６，３７より径大な大きさに設定して差別化している。これは、単にダイヤル形状が異なることのみに非ず、特に本実施例では、以下のような機能的な差異を有している。
【００２４】
即ち、左，右ヒータ用ダイヤル３５，３８は、前記した夫々左，右ヒータ加熱部３０，３１のオン・オフと火力調節を行ない、またロースタ用ダイヤル３６は図示しないロースタ用ヒータ手段のオン・オフを行ない、そして中央ヒータ用ダイヤル３７は、中央ヒータ加熱部３２のオン・オフと火力調節を可能としている。しかるに、オン・オフ操作は、いずれもダイヤルをプッシュするとオン動作し、もう一度プッシュすることでオフ動作するスイッチ機構を有し、また、火力調節にはダイヤルを時計方向に回動操作すると火力が強まり、反時計方向に回動することで火力が弱まる構成としており、その火力の設定表示は夫々の火力表示部３０ｂ，３１ｂ，３２ｂが点灯表示することにより確認でき、この場合、多数の発光素子が点灯するほど火力が強いことを表わす。斯くして、上記したように今、左，右ヒータ用ダイヤル３５，３８が他のものより径大であることは、設定可能な火力が大きいこと、およびヒータ手段としてＩＨヒータを用いていることの機能的差異を一見して識別容易にしている。
【００２５】
また、上記したようにダイヤル式操作部２７では、ダイヤル操作によりオン・オフするだけで各ヒータ加熱部３０〜３２および図示しないロースタ用ヒータへの通断電を可能にしている。つまり、本実施例におけるダイヤル式操作部２７には、従来に謂う電源スイッチ装置を設けていない。このようなダイヤル操作によりオン・オフする所謂ダイヤルスイッチ構成について、図５に概略的に示す電気回路図を参照して述べると、商用の交流電源３９の両電源端子３９ａ，３９ｂ間に、各ヒータ用ダイヤル３５〜３８の操作に連動する二連式のオン・オフスイッチ３５ａ〜３８ａとリレーコイル４２を直列に接続している。
【００２６】
具体的には、これら二連式スイッチ３５ａ〜３８ａのうち一方の接点ｂが、リレーコイル４２と接続され、他方の接点ａは一端が負荷側回路４１に接続され、他端が主電源スイッチとしてのリレー接点４０を直列に介して一方の電源端子３９ａに接続されている。従って、二連式のスイッチ３５〜３８ａの各接点ｂは、いずれもリレーコイル４２に接続され、所謂リレー接点４０の駆動回路を構成している。尚、負荷側回路４１には、左，右ヒータ加熱部３０，３１（ＩＨヒータ）等への通電回路の他に、操作パネル部２６の操作入力や各種温度センサ等の検知信号を入力して予め備えられた制御プログラムに基づき、火力制御や図示しないインバータ回路等を駆動制御する制御回路等を有している。
【００２７】
従って今、左ヒータ用ダイヤル３５をプッシュ（オン）操作した場合、該当する二連式スイッチ３５ａが閉成され、まず接点ｂを介してリレーコイル４２を付勢し、リレー接点４０を閉成動作させる。これにより、リレー接点４０を介して負荷側回路４１が導通され、左ヒータ加熱部３０に通電される。逆に、オフ操作するにはもう一度プッシュすると、接点ａ，ｂとも連動して開放することにより、リレーコイル４２も消勢されリレー接点４０も開放する。この場合、スイッチ３５ａ〜３８ａのいずれか一つが閉成（オン操作）されている限り、他の一つがオフ操作されてもリレーコイル４２は続いて付勢され、リレー接点４０は閉成状態に保持される。
【００２８】
一方、上記ダイヤル式操作部２７の下位に配設されたカンガルー式操作部２８は、特に図１に示すように調理器正面に対して下端部を支点に前後方向に回動し、内方に収納された閉じた状態と、前方に突出した開いた状態とを得る所謂カンガルー式ポケットの形態をなしている。しかるに、先の図４に示す閉じた状態から「押す」の記載部位をプッシュすると開動作する構成になっていて、再び閉じるには手動操作で戻す方向に押してやる構成としている。しかして、このカンガルー式操作部２８は、図１に示すように全体形状が三角柱状をなし、そのうちの前方に突出する二面において、一つをスイッチ操作面２８ａとし、もう一つを閉鎖面２８ｂ（図４参照）となし、そのスイッチ操作面２８ａには後述する図６に示すような各種のスイッチ類や表示部を備えている。
【００２９】
従って、図１においてカンガルー式操作部２８は、下端部の支点Ａを中心に回動し実線で示す前出状態（開いた状態）では、スイッチ操作面２８ａが前方に若干斜め下方位置まで回動突出してスイッチ類の操作を可能とし、また、二点鎖線で示す収納状態（閉じた状態）では、スイッチ操作面２８ａは収納されるとともに、閉鎖面２８ｂが前面を略平坦状に塞ぐ位置まで移動する。また、上部位のダイヤル式操作部２７の左ヒータ用ダイヤル３５等の調理器前面からのダイヤルの突出寸法Ｘ１に対し、カンガルー式操作部２８の前出状態での突出寸法Ｘ２を、十分に大きくしてスイッチ操作面２８ａが上部のダイヤルの死角となるのを極力避けた構成としている。
【００３０】
そして、図６にはスイッチ操作面２８ａにおける具体的一例を示したものである。ところで前記したように、上記ダイヤル式操作部２７が有するスイッチ機能は、調理器使用時に各種ヒータ手段を直接オン・オフしたり火力調節を行なう必ずと言って良いほど使用する主スイッチ機能である。これに対し、このカンガルー式操作部２８に設けられるスイッチ類は、使用頻度が少ないロースタ調理や天ぷら調理、およびタイマ時限の設定や表示など詳細な設定を要する場合に使用されるスイッチ類が設けられている。
【００３１】
因みに、図６に示す左側には時限設定や表示部を含むタイマ装置４３が設けられ、左ヒータ加熱部３０に対して制御可能としている。そして、中央部位にはロースタ調理の具体的調理手段の設定や時限設定が可能なロースタ調理設定部４４が設けられているが、その時限設定は中央ヒータ加熱部３２に対する制御も可能で、いずれか一方が優先使用できるようにしている。また、右側には天ぷら用の温度制御機能や時限設定が可能な天ぷら調理設定部４５が配設され、これは右ヒータ加熱部３１を利用して制御可能としている。
【００３２】
しかるに、これら設定用のスイッチ形態としては、操作面２８ａが略平坦状に構成できるタッチ型のスイッチを採用し、回動時の妨げとならないスイッチ構成としている。
尚、図７は、特には操作パネル部２６を側方から見た上下方向の概略的な配置構成を示すとともに、後述する作用を説明するための図である。
【００３３】
次に、上記構成とした加熱調理器の作用につき述べる。
まず、調理材料等を収容した鍋などの調理容器（図示せず）を、トッププレート２９上の複数のうちの所望のヒータ加熱部を選択して載置する。以下、例えばＩＨヒータを用いた右ヒータ加熱部３１を利用する場合について述べる。そして今、操作パネル部２６は、図４および図７（ａ）に示すように、カンガルー式操作部２８は、閉じた位置に回動されて調理器内部に収納状態にあるとする。従って、上部位のダイヤル式操作部２７の右ヒータ用ダイヤル３８をプッシュしてオン操作することで、図５にて開示したように二連式スイッチ３８ａの接点ｂを介してリレーコイル４２が励磁され、主電源スイッチたるリレー接点４０を有する主電源回路を閉回路とし、また、回動操作することにより火力調節を行なう。
【００３４】
この場合、図３に示す火力表示部３１ｂに、火力の大きさ（強弱）に応じた複数個の発光素子をトッププレート２９面に点灯して知らせるとともに、オン操作のみでは火力表示部３１ｂが点滅して使用者に火力調節することを促す。尚、この火力表示部３１ｂは、鍋などが規制の載置枠３１ａへの置き方が適正でなかったり、或は適正な材質でなかったりした場合には、図示しない制御回路の制御プログラムに基づき点滅させて、警報用にも用いるようにしている。
【００３５】
このように、カンガルー式操作部２８は閉じたままで、ダイヤル式操作部２７のダイヤル操作のみで主たるスイッチ機能の設定ができ、加熱調理を開始することができる。しかるに、使用頻度としては少ないが調理に時限設定を望む場合や、天ぷら調理を行なう場合には、カンガルー式操作部２８を使用することになる。従って、カンガルー式操作部２８の閉鎖面２８ｂの所定部位（図４参照）をプッシュして回動させ、図１および図７（ｂ）に示すように開いて前方に突出した状態（以下、前出状態と記す）とする。これにより、操作面２８ａは斜め前方に指向した位置に保持され、図６に示す天ぷら調理設定部４５や必要に応じ時限設定等をタッチ操作することで、設定することができる。特に、前出状態に位置するカンガルー式操作部２８は、図１および図７（ｂ）から明らかな如く上部位の各ダイヤル３５〜３８より大きく突出した構成にあるので（Ｘ２＞Ｘ１）、操作するに必要な操作面２８ａを広く確保できる。
【００３６】
以上は、一つの右ヒータ加熱部３１の操作手順につき述べたが、当然、複数のヒータ加熱部を同時に使用することも可能で、例えば、更に中央ヒータ加熱部３２を利用して湯沸しなどを併せて行なう場合は、それに対応する中央ヒータ用ダイヤル３７をプッシュしてオンさせ、回動して火力調節を行なえば良く、実質的に同じ手順で設定操作できる。この場合、中央ヒータ用ダイヤル３７は、火力の大きさおよびヒータ手段が異なる右ヒータ用ダイヤル３８が径大であるのに対して、小さく（径小）して識別容易にしているので、誤操作を軽減し使い勝手を良くしている。
【００３７】
一方、左ヒータ加熱部３０においても、対応する左ヒータ用ダイヤル３５は同様に火力およびヒータ手段（ＩＨヒータ）に相応して径大に形成してあり、配置構成も含めて一見して識別が容易で、使用可能な鍋類を選択する意識付けなどの啓蒙ができ、やはり使い勝手が良いことは言うまでもない。尚、加熱停止する場合には、もう一度、所望のダイヤルをプッシュしてやることで、図５に示すリレーコイル４２は消勢されリレー接点４０による主電源回路の開放と併せ簡単にオフ操作することができる。
【００３８】
斯くして、本実施例によれば次の効果を有する。
まず、本実施例の加熱調理器は、複数のヒータ加熱部３０〜３２を操作する操作パネル部２６を、ダイヤル式操作部と開閉回動するカンガルー式操作部とを組み合せて構成した。これにより、本来のダイヤル式操作部２７における使い易さと、必要に応じて利用するカンガルー式操作部２８とを巧みに使い分けることが可能となり、総合的に使い勝手を良くするとともに、操作パネル部２６の外観もすっきりした好感のもてる意匠とすることができる。
【００３９】
その上、ダイヤル式操作部２８は、各ヒータ加熱部３０〜３２に対し少なくとも火力調節が操作できるようにし、一方、カンガルー式操作部２８は、使用頻度の少ない設定操作を行なうスイッチ構成とした。従って、火力調節することは大半の加熱調理に必要であるが、これはダイヤル式操作部２７にて容易に設定操作でき、また、使用頻度の少ない設定操作はカンガルー式操作部２８にて必要時のみ行なえば良いので、無駄がなく効率良く設定操作ができる。
【００４０】
しかも、ダイヤル式操作部２７は、本実施例では火力調節と併せて各ヒータ加熱部３０〜３２のオン・オフ操作をも可能としたので、カンガルー式操作部２８を閉じた状態でも主要なオン・オフおよび火力調節の設定操作が可能で、必要最小限の手数にて簡単操作でき、一層使い勝手の向上が図れるなどの実用的効果を奏する。
【００４１】
一方、上部位のダイヤル式操作部２７に対し、下位の前出状態にあるカンガルー式操作部２８は、図１および図７（ｂ）にて明示した如く各ダイヤル３５〜３８より大きく前方に突出しているので（Ｘ２＞Ｘ１）、操作するに必要な操作面２８ａを広く確保できて簡単操作できる。それでいて、上部位のダイヤル式操作部２７は、本来的に使い易い上に、大きく回動変位する下位のカンガルー式操作部２８の開閉位置に何ら影響を受けることもない。
【００４２】
また、ダイヤル式操作部２７は、上部に配置した構成のみならず、その各ヒータ用ダイヤル３５〜３８は、火力の大きさ、またはヒータ手段の種類に合わせて異なる大きさとしており、本実施例では火力も大きくて且つＩＨヒータを用いた左，右ヒータ加熱部３０，３１を操作する該当ダイヤル３５，３８を、他のものより径大な構成とした。これにより、ダイヤルの大きさで該当するヒータ加熱部の一つと特定することができ、調理時における必要な火力とかヒータ手段であるかの啓蒙や選択するに便宜を図り得、それだけ誤操作を防いだり使い易さが向上できる。但し、上記のように複数のダイヤルでなく少なくとも一つのダイヤルを異なる大きさにしただけでも、この種調理器のヒータ加熱部も一般的に数個に限られておることから、経験的にも容易に特定でき、同様の効果が期待できる。
【００４３】
更には、各ヒータ加熱部３０〜３２の火力表示部３０ｂ〜３２ｂは、トッププレート２９面に配設したこと、および各ダイヤル３５〜３８はオン・オフ操作に連動して主電源回路を開閉できるようにして従来の電源スイッチ装置を操作パネル部２６の前面に設けない構成とした。この結果、ダイヤル式操作部２７の限られたスペースを有効に活用できて、操作性および意匠的にも向上が図れ、また、火力表示するには比較的広いトッププレート２９面を利用して該当するヒータ加熱部の近傍に所望の複数段階の火力表示ができて、機能的にも便利であるとともに、ダイヤル操作は別体の電源スイッチ装置による操作手数が省けて、一層使い勝手が向上する。
【００４４】
（変形例）
図８は、本発明の変形例を示す図７相当図で、上記実施例に対し、操作パネル部４６がダイヤル式操作部４７の上部位にカンガルー式操作部４８を配した構成で、所謂上下逆配置とした点で異なるのみで、他は全て共通の構成とするものである。
従って、斯かる構成によれば、図８（ａ）に示すようにカンガルー式操作部４８が閉じた状態にあるときは、ダイヤル式操作部４７によるダイヤル操作は何ら支障なく行なえ、また、操作パネル部４６はカンガルー式操作部４８の閉鎖面４８ｂが表面にあって、やはり全体的にすっきりとした外観意匠が得られる。
【００４５】
一方、カンガルー式操作部４８を使用するときは、同図（ｂ）に示す如く開回動させ前出状態にすれば良い。この場合、上部にダイヤルを有する上記実施例以上に操作面４８ａを大きく確保でき、見易くて簡単操作ができるもので、特に該カンガルー式操作部４８の操作性向上を求める場合に好都合である。
尚、本発明は上記し且つ図面に示された上記実施例に限定されるものではなく、例えばダイヤルは、火力の大きさやヒータ種類に合わせて異なる大きさとしたが、これは形状により特定し識別可能としても良いなど、実施に際し具体的に種々変更が可能である。
【００４６】
【発明の効果】
以上の説明から明らかなように、本発明の加熱調理器は、トッププレートに複数のヒータ加熱部を配し、これら加熱部を操作する操作パネル部において、ダイヤル式操作部とカンガルー式操作部とを組み合せた構成とした。
斯くして、ダイヤル式操作部における使い易さと、必要に応じて利用するカンガルー式操作部とを組み合せ使い分けることが可能となり、使い勝手を良くするとともに、特には操作部における外観意匠もすっきりした好感のもてる加熱調理器を提供できる。
【図面の簡単な説明】
【図１】本発明をビルトインタイプの加熱調理器に適用した一実施例を示す要部の縦断側面図
【図２】キッチンに組み込んだ状態の全体構成を示す外観斜視図
【図３】平面図
【図４】正面図
【図５】概略的に示す電気回路図
【図６】操作面の配置構成を示す拡大図
【図７】要部の概略構成および作用説明するための図
【図８】本発明の変形例を示す図７相当図
【図９】従来の概略構成を示す外観図
【図１０】図６相当図
【図１１】他の異なる図６相当図
【符号の説明】
図中、２２はカウンタートップ、２５はロースタ部、２６，４６は操作パネル部、２７，４７はダイヤル式操作部、２８，４８はカンガルー式操作部、２９はトッププレート、３０は左ヒータ加熱部（ヒータ加熱部）、３１は右ヒータ加熱部（ヒータ加熱部）、３２は中央ヒータ加熱部（ヒータ加熱部）、３０ｂ，３１ｂ，３２ｂは火力表示部、３５は左ヒータ用ダイヤル（ダイヤル）、３５ａ〜３８ａは二連式スイッチ（ダイヤルスイッチ）、３６はロースタ用ダイヤル（ダイヤル）、３７は中央ヒータ用ダイヤル（ダイヤル）、３８は右ヒータ用ダイヤル（ダイヤル）、４０はリレー接点（主電源スイッチ）、４１は負荷側回路、および４２はリレーコイルを示す。
【図１】
2004028569.tif 000003
【図２】
2004028569.tif 000004
【図３】
2004028569.tif 000005
【図４】
2004028569.tif 000006
【図５】
2004028569.tif 000007
【図６】
2004028569.tif 000008
【図７】
2004028569.tif 000009
【図８】
2004028569.tif 000010
【図９】
2004028569.tif 000011
【図１０】
2004028569.tif 000012
【図１１】
2004028569.tif 000013